(57)【特許請求の範囲】
【請求項１】
記録材が積載される積載面と、回転し記録材を当該積載面に送り出すとともに送り出しを行った後も予め定められた時間、回転を継続する送り出し部材とを有し、当該送り出し部材が送り出す記録材が収容される記録材収容部と、
少なくとも一方向から前記記録材収容部を覆うとともに、当該記録材収容部に対して開閉可能に設けられる覆い部材と、
前記記録材収容部に対して前記覆い部材を固定するとともに、前記送り出し部材による記録材の送り出しを行った後に固定を解除する解除機構と、
前記解除機構が固定を解除しているが前記送り出し部材が回転を継続している間、ユーザによって前記覆い部材に対する開放操作がなされた際に、当該送り出し部材の回転を停止させる停止手段と
を含む記録材処理装置。
【請求項２】
前記送り出し部材は、前記積載面に送り出される記録材の当該積載面における姿勢に応じて定められる時間、回転を継続することを特徴とする請求項１記載の記録材処理装置。
【請求項３】
前記解除機構は、前記送り出し部材が回転を開始する前に前記覆い部材を固定することを特徴とする請求項１または２記載の記録材処理装置。
【請求項４】
原稿上の画像を読み取って画像データを生成する画像読取部と、
前記画像読取部の下方に設けられ、記録材に対し予め定められた処理を施す記録材処理部と、
前記記録材処理部による処理が行われた記録材が積載される積載面と、回転し当該記録材処理部から搬送されてきた記録材を当該積載面に送り出すとともに送り出しを行った後も予め定められた時間、回転を継続する送り出し部材と、当該送り出し部材により送り出された記録材がユーザによって取り出される取り出し口とを有し、前記画像読取部の下方であって前記記録材処理部の上方あるいは側方に設けられかつ当該記録材処理部による処理が行われた記録材が収容される記録材収容部と、
少なくとも一方向から前記記録材収容部の前記取り出し口を覆うとともに、当該記録材収容部に対して開閉可能に設けられる覆い部材と、
前記記録材収容部に対して前記覆い部材を固定するとともに、前記送り出し部材による記録材の送り出しを行った後に固定を解除する解除機構と、
前記解除機構が固定を解除しているが前記送り出し部材が回転を継続している間、ユーザによって前記覆い部材に対する開放操作がなされた際に、当該送り出し部材の回転を停止させる停止手段と
を含む記録材処理装置。
【発明の詳細な説明】
【技術分野】
【０００１】
本発明は、記録材処理装置に関する。
【背景技術】
【０００２】
軽度障害を持つオペレータの安全性を確保することが可能な画像形成装置の提供を目的として、給紙又は排紙をするための開口部と、この開口部に設けられ、給紙又は排紙をするための給紙手段又は排紙手段と、この給紙手段又は排紙手段を遮蔽する遮蔽カバーと、この遮蔽カバーの開閉を行う遮蔽カバー制御手段とを有する画像形成装置が知られている（特許文献１参照）。
【先行技術文献】
【特許文献】
【０００３】
【特許文献１】特開２００５−７５５６５号公報
【発明の概要】
【発明が解決しようとする課題】
【０００４】
本発明は、排出後も回転を継続する排出ロールに対するユーザの接触を抑制し記録材の排出後の早期取り出しが可能な記録材処理装置を提供することを目的とする。
【課題を解決するための手段】
【０００５】
請求項１記載の発明は、記録材が積載される積載面と、回転し記録材を当該積載面に送り出すとともに送り出しを行った後も予め定められた時間、回転を継続する送り出し部材とを有し、当該送り出し部材が送り出す記録材が収容される記録材収容部と、少なくとも一方向から前記記録材収容部を覆うとともに、当該記録材収容部に対して開閉可能に設けられる覆い部材と、前記記録材収容部に対して前記覆い部材を固定するとともに、前記送り出し部材による記録材の送り出しを行った後に固定を解除する解除機構と、前記解除機構が固定を解除しているが前記送り出し部材が回転を継続している間、ユーザによって前記覆い部材に対する開放操作がなされた際に、当該送り出し部材の回転を停止させる停止手段とを含む記録材処理装置である。
請求項２記載の発明は、前記送り出し部材は、前記積載面に送り出される記録材の当該積載面における姿勢に応じて定められる時間、回転を継続することを特徴とする請求項１記載の記録材処理装置である。
請求項３記載の発明は、前記解除機構は、前記送り出し部材が回転を開始する前に前記覆い部材を固定することを特徴とする請求項１または２記載の記録材処理装置である。
請求項４記載の発明は、原稿上の画像を読み取って画像データを生成する画像読取部と、前記画像読取部の下方に設けられ、記録材に対し予め定められた処理を施す記録材処理部と、前記記録材処理部による処理が行われた記録材が積載される積載面と、回転し当該記録材処理部から搬送されてきた記録材を当該積載面に送り出すとともに送り出しを行った後も予め定められた時間、回転を継続する送り出し部材と、当該送り出し部材により送り出された記録材がユーザによって取り出される取り出し口とを有し、前記画像読取部の下方であって前記記録材処理部の上方あるいは側方に設けられかつ当該記録材処理部による処理が行われた記録材が収容される記録材収容部と、少なくとも一方向から前記記録材収容部の前記取り出し口を覆うとともに、当該記録材収容部に対して開閉可能に設けられる覆い部材と、前記記録材収容部に対して前記覆い部材を固定するとともに、前記送り出し部材による記録材の送り出しを行った後に固定を解除する解除機構と、前記解除機構が固定を解除しているが前記送り出し部材が回転を継続している間、ユーザによって前記覆い部材に対する開放操作がなされた際に、当該送り出し部材の回転を停止させる停止手段とを含む記録材処理装置である。
【発明の効果】
【０００６】
請求項１記載の発明によれば、本構成を有しない場合に比較して、排出後も回転を継続する排出ロールに対するユーザの接触を抑制し記録材の排出後の早期取り出しが可能な記録材処理装置を提供することができる。
請求項２記載の発明によれば、本構成を有しない場合に比較して、記録材を取り出す際に記録材がより迅速に取り出される姿勢で記録材を積載することが可能となる。
請求項３記載の発明によれば、本構成を有しない場合に比較して、回転する排出ロールにユーザが接触することをより抑制することができる。
請求項４記載の発明によれば、本構成を有しない場合に比較して、排出後も回転を継続する排出ロールに対するユーザの接触を抑制し記録材の排出後の早期取り出しが可能な記録材処理装置を提供することができる。
【図面の簡単な説明】
【０００７】
【図１】本実施の形態が適用される画像形成装置を示す概略構成図である。
【図２】本実施の形態が適用される胴内排出ロールの駆動系を説明する説明図である。
【図３】本実施の形態が適用される画像形成装置を示す斜視図である。
【図４】本実施の形態が適用されるカバーロック部の説明図である。
【図５】本実施の形態が適用される胴内排出ロールとカバーロック部との関係を示すタイミングチャートである。
【図６】胴内排出ロールと排出された用紙の位置関係を説明するための説明図である。
【発明を実施するための形態】
【０００８】
以下、添付図面を参照して、本発明の実施の形態について詳細に説明する。
＜画像形成装置１００＞
図１は、本実施の形態が適用される画像形成装置１００を示す概略構成図である。図１に示す画像形成装置１００は、所謂タンデム型のカラープリンタである。この画像形成装置１００は、各色の画像データに対応して画像形成を行う画像形成部１０（記録材処理部）と、画像形成装置１００全体の動作を制御する制御部２０とを備えている。また、画像形成装置１００は、画像形成装置１００の上方側に設けられ、原稿の画像を読み取るスキャナにより構成される画像読取装置３０（画像読取部）を備えている。さらに、画像形成装置１００は、画像形成部１０に用紙Ｓを供給する用紙供給部４０を備えている。
【０００９】
ここで、画像形成装置１００の各構成部材は、筺体５０の内部に収容されている。また、画像読取装置３０の下方であって筺体５０の上部の面には、画像形成部１０によって画像が形成された用紙Ｓが積載される積載面をもつ胴内積載部６０が設けられている。さらに画像形成装置１００は、開閉可能に設けられ胴内積載部６０と画像読取装置３０との間に形成される記録材収容部の一例である空間の画像形成装置１００の前面（操作面側）を覆うカバー部材８０が設けられている。そして、画像形成装置１００は、カバー部材８０を閉じられた状態でロック（固定）するカバーロック部７０を有するとともに、閉じられたカバー部材８０と対向する位置にカバー部材８０が閉じられていることを検知するカバーセンサ（図示せず）を有する。
【００１０】
＜画像形成部１０＞
画像形成部１０には、一定の間隔をおいて並列的に配置される４つの画像形成ユニット１Ｙ，１Ｍ，１Ｃ，１Ｋが備えられている。各画像形成ユニット１Ｙ，１Ｍ，１Ｃ，１Ｋは、静電潜像を形成してトナー像を保持する感光体ドラム１２を備えており、いわゆる電子写真方式によってトナー像を形成する。ここで、各画像形成ユニット１Ｙ，１Ｍ，１Ｃ，１Ｋは、現像装置に収納されるトナーを除いて、同様に構成される。そして、各画像形成ユニット１Ｙ，１Ｍ，１Ｃ，１Ｋは、それぞれがイエロー（Ｙ）、マゼンタ（Ｍ）、シアン（Ｃ）、黒（Ｋ）のトナー像を形成する。このようなことから、以下の説明においては、画像形成ユニット１Ｙ、１Ｍ、１Ｃ、１Ｋの各構成についてはそれぞれ「Ｙ」、「Ｍ」、「Ｃ」、「Ｋ」という符号を付して区別するが、区別する必要のないときは、これらの符号は付さない。
【００１１】
また、画像形成部１０は、各画像形成ユニット１の感光体ドラム１２上に形成された各色トナー像が転写される中間転写ベルト１３を備えている。また、画像形成部１０は、各画像形成ユニット１にて形成された各色トナー像を中間転写ベルト１３に順次転写（一次転写）する一次転写ロール１７を備えている。さらに、画像形成部１０は、中間転写ベルト１３上に重畳して形成された各色トナー像を記録材（記録紙）である用紙Ｓに一括転写（二次転写）する二次転写部１９と、二次転写された各色トナー像を用紙Ｓに定着させる定着装置２１とを備えている。
さらにまた、画像形成部１０は、定着装置２１によってトナー像が定着された用紙Ｓの通過を検知するエグジットセンサ２２を備える。さらにまた、このエグジットセンサ２２を通過した用紙Ｓを胴内積載部６０に排出する胴内排出ロール２３を備える。
【００１２】
用紙供給部４０は、用紙収容部４１、繰り出しロール４３、捌きロール４５、及びレジロール４７を備える。用紙収容部４１は、用紙Ｓを収容する。繰り出しロール４３は、用紙収容部４１の上部に配設され、用紙収容部４１に収容される用紙Ｓの束のうち、最上位の用紙Ｓを繰り出す。捌きロール４５は、繰り出しロール４３にて繰り出された用紙Ｓを１枚ずつに捌いて搬送する。また、レジロール４７は、捌きロール４５によって捌いて搬送された用紙Ｓを一旦停止させ、タイミングを合わせて回転を再開することにより二次転写部１９に対して用紙Ｓを供給する。
【００１３】
＜胴内排出ロール２３＞
次に、図１及び図２を参照しながら、胴内排出ロール２３について説明をする。ここで、図２は、本実施の形態が適用される胴内排出ロール２３の駆動系を説明する説明図である。
まず、図２に示すように、胴内排出ロール２３は、駆動源（図示せず）からの駆動を受ける駆動ロール２３ａと、この駆動ロール２３ａに従動しかつ駆動ロール２３ａとの間にニップ部を形成する従動ロール２３ｂとを有する。そして、この駆動ロール２３ａと従動ロール２３ｂとは、筺体５０の胴内積載部６０が設けられる側の側面である筺体側面５０ａに露出した状態で設けられている。
【００１４】
ここで、送り出し部材の一例である胴内排出ロール２３は、駆動ロール２３ａの回転軸と同軸で駆動ロール２３ａと一体に設けられ、駆動ロール２３ａの駆動を受ける駆動歯車２３ｃを有する。一方で、画像形成装置１００は、駆動源（図示せず）からの駆動を駆動歯車２３ｃに伝達する歯車Ｇ１、Ｇ２を有し、さらに駆動源（図示せず）と駆動歯車２３ｃとの間にクラッチ２５を有する。停止手段の一例であるクラッチ２５を配置することにより、駆動源（図示せず）から胴内排出ロール２３への駆動を任意のタイミングで伝達したり、遮断したりするよう構成されている。
なお、駆動源（図示せず）は、胴内排出ロール２３のみを駆動させる構成でなくともよい。例えば中間転写ベルト１３や二次転写部１９等他の部材を胴内排出ロール２３とともに駆動させる構成であってもよい。
【００１５】
＜カバー部材８０＞
次に、図１及び図３を参照しながら、カバー部材８０について説明をする。ここで、図３は、本実施の形態が適用される画像形成装置１００を示す斜視図である。
まず、覆い部材の一例であるカバー部材８０は、画像形成装置１００の前面（操作面側）に開閉可能に設けられている（矢印Ａ参照）。具体的には、カバー部材８０は、胴内積載部６０と画像読取装置３０との間に形成される空間が画像形成装置１００の前面側に向けて開口する領域であり、画像が形成された用紙Ｓが取り出される取り出し開口５３（取り出し口）を覆う。
【００１６】
そして、カバー部材８０が閉じられている状態においては、胴内積載部６０上に排出された用紙Ｓが取り出し開口５３から取り出されることや、筺体側面５０ａに露出する胴内排出ロール２３にユーザの体の一部やペン等の異物が接触することを制限するようにカバー部材８０は構成されている。具体的には、カバー部材８０は、板状の部分であるカバー面８０ａと、カバー面８０ａの一方の端部に設けられたヒンジ８１と、ヒンジ８１が設けられた一方の端部とカバー面８０ａの反対側の端部に設けられた被拘束部８５とを有する。
【００１７】
カバー面８０ａは、カバー部材８０が閉じられた状態において、画像読取装置３０の下部から胴内積載部６０の下方までを覆う寸法で構成されている。
カバー部材８０のヒンジ８１は、図３に示すように、閉じられた状態のカバー部材８０（図３の破線参照）の下側の端部に設けられ、さらに胴内積載部６０の下方において筺体５０に固定される。
被拘束部８５は、ヒンジ８１が設けられた端部と対向するカバー部材８０の端部であって、筺体側面５０ａ側に設けられる。本実施の形態における被拘束部８５は、カバー面８０ａと連続する板状の部材であり筺体側面５０ａに沿って設けられる。そして、被拘束部８５は、筺体側面５０ａ向けて開口する開口８７（詳細は後述）を有する。
【００１８】
＜カバーロック部７０＞
次に、図３及び図４を参照しながら、カバーロック部７０について説明をする。ここで、図４（Ａ）はカバーロック部７０周辺の斜視図であり、図４（Ｂ）は図４（Ａ）のＩ面におけるカバーロック部７０の断面図である。詳細には、（Ｂ−１）はカバーロック部７０によるロックが解除されている状態を示し、（Ｂ−２）はカバーロック部７０によってロックされている状態を示す。
【００１９】
解除機構の一例であるカバーロック部７０は、カバー部材８０が閉じられた状態で、被拘束部８５と対向する位置に設けられる。図３においては、カバーロック部７０は取り出し開口５３の左上（図３の楕円内）に配置される。
またカバーロック部７０は、被拘束部８５を拘束するロックピン７１と、このロックピン７１と接続されロックピン７１を移動させるソレノイド７５と、ロックピン７１とソレノイド７５との間に設けられロックピン７１を元の位置に戻す戻しばね７３とを有する。
【００２０】
ここで、ロックピン７１は、屈曲部７１ｃを有するＬ字状の部材であり、被拘束部８５に対して進退可能に設けられる(矢印Ｂ及びＣ参照)。このロックピン７１は、屈曲部７１ｃから被拘束部８５に向けて延びる主部７１１と、屈曲部７１ｃにて主部７１１に接続され主部７１１と交差する方向（直交する方向）に延びる副部７１２とを有する。そして、ロックピン７１の主部７１１は筺体側面５０ａを貫通して設けられている。また、副部７１２は、筺体側面５０ａを挟んで相対する第１領域、第２領域のうちの、被拘束部８５が設けられている第１領域とは異なる第２領域に設けられている。
ソレノイド７５は、上記第２領域に設けられており、ロックピン７１の副部７１２の端部７１ａ（主部７１１に接続された端部とは反対側に位置する端部）に接続されている。ソレノイド７５は、この副部７１２側の端部７１ａを被拘束部８５に対して進退させる(矢印Ｂ及びＣ参照)。なお、戻しばね７３は、この端部７１ａとソレノイド７５との間に設けられている。
【００２１】
図４の（Ｂ−１）及び（Ｂ−２）を参照しカバーロック部７０の動作を説明する。
まず、図４の（Ｂ−１）に示されるように、カバーロック部７０によるロックが解除されている状態においては、ロックピン７１の主部７１１側の端部７１ｂが、筺体側面５０ａに接近した位置Ｐａに配置されている。ここで、ロックピン７１の端部７１ｂが位置Ｐａに配置されている状態においては、ロックピン７１は、被拘束部８５の開口８７に進入していない。したがって、被拘束部８５がロックピン７１によって移動が制限されないことからカバー部材８０を開放することが可能である。
【００２２】
そして、ソレノイド７５が駆動しロックピン７１の副部７１２側の端部７１ａが矢印Ｂ方向に移動すると、ロックピン７１の主部７１１が筺体側面５０ａからさらに突出し、筺体側面５０ａより離れた位置Ｐｂへと移動する。そして、図４（Ｂ−２）に示されるように、ロックピン７１が位置Ｐｂに配置されることにより、カバーロック部７０によってカバー部材８０がロックされ、カバー部材８０は閉じられた状態で固定される。具体的には、ロックピン７１の端部７１ｂが被拘束部８５の開口８７に進入しており、被拘束部８５の移動経路上にロックピン７１が位置する状態となる。これにより、被拘束部８５はロックピン７１によって移動が制限され、カバー部材８０の開放が制限される。なお、ロックピン７１が位置Ｐｂへと移動する際、戻しばね７３は圧縮される。
【００２３】
一方で、カバー部材８０のカバーロック部７０によるロックを解除する（ロックを外す）場合には、上述の動作とは反対の動作が行われる。具体的に説明すると、オン状態とされていたソレノイド７５がオフ状態とされる。これにより戻しばね７３が伸長する。そしてこの伸長によって、ロックピン７１が押圧され、被拘束部８５から離れる方向にロックピン７１が移動する。これにより、被拘束部８５の移動経路上からはずれた箇所にロックピン７１が位置するようになる。そしてこの状態になると、カバー部材８０の開放が可能となる。
【００２４】
＜画像形成装置１００の動作＞
次に、図１及び図５を参照しながら、画像形成装置１００の動作について説明をする。ここで、図５は、本実施の形態が適用される胴内排出ロール２３とカバーロック部７０との関係を示すタイミングチャートである。
まず、画像形成装置１００が画像形成動作を開始する際には、カバーロック部７０がカバー部材８０をロックしている。より具体的には、カバー部材８０は閉じられ、かつロックピン７１の主部７１１側の端部７１ｂは、被拘束部８５の開口８７に進入している状態である。なお、本実施の形態においては、図示しないカバーセンサが、カバー部材８０が閉じられていることを検知しない状態では、画像形成装置１００が画像形成の動作を開始しない。
【００２５】
画像形成装置１００が画像形成動作を開始すると、画像読取装置３０等から入力された画像データは、予め定められた画像処理が施された後、各画像形成ユニット１に送られる。そして、例えば黒（Ｋ）色トナー像を形成する画像形成ユニット１Ｋでは、感光体ドラム１２が回転しながら、予め定められた電位で一様に帯電された後に走査露光される。それにより、感光体ドラム１２上には、黒（Ｋ）色画像に関する静電潜像が形成される。そして、感光体ドラム１２上に形成された静電潜像は現像され、感光体ドラム１２上には黒（Ｋ）色トナー像が形成される。同様に、画像形成ユニット１Ｙ，１Ｍ，１Ｃにおいても、それぞれイエロー（Ｙ）、マゼンタ（Ｍ）、シアン（Ｃ）の各色のトナー像が形成される。
【００２６】
各画像形成ユニット１で形成された各色のトナー像は、回転駆動される中間転写ベルト１３上に、一次転写ロール１７により順次静電吸引される。これにより中間転写ベルト１３には各色トナーが重畳された重畳トナー像が形成される。そして、中間転写ベルト１３上の重畳トナー像は、中間転写ベルト１３の移動に伴って二次転写部１９に搬送される。
一方で、用紙収容部４１に積載された用紙Ｓは、繰り出しロール４３によって繰り出され、捌きロール４５によって捌かれて搬送される。さらに、捌かれた用紙Ｓはレジロール４７によって二次転写部１９へと供給される。
そして、重畳トナー像は、二次転写部１９が形成する転写電界の作用により、レジロール４７を経て供給される用紙Ｓ上に一括して静電転写される。
【００２７】
その後、重畳トナー像が静電転写された用紙Ｓは、中間転写ベルト１３から剥離され、定着装置２１まで搬送される。定着装置２１に搬送された用紙Ｓ上のトナー像は、定着装置２１によって熱及び圧力による定着処理を受けて用紙Ｓ上に定着される。そして、定着画像が形成された用紙Ｓは、エグジットセンサ２２によって検知された後、胴内排出ロール２３によって胴内積載部６０に排出され積載される。このようにして、画像形成装置１００での画像形成がプリント枚数分のサイクルだけ繰り返される。
【００２８】
ここで、図５の中段に示すように、用紙収容部４１に積載された用紙Ｓが搬送され、画像を形成された後に胴内積載部６０へ排出される過程においては、用紙Ｓは、レジロール４７、二次転写部１９、定着装置２１、エグジットセンサ２２、胴内排出ロール２３を順に通過していく。そして、用紙Ｓの搬送方向先端が各部材を通過した後、予め定められた時間を経過した後に、用紙Ｓの搬送方向後端が各部材を通過する。
【００２９】
さて、図５の下段に示すように、画像形成部１０において画像が形成された用紙Ｓが、胴内排出ロール２３を通過すると、カバーロック部７０がカバー部材８０の固定を解除する。より具体的には、画像が形成された用紙Ｓの搬送方向後端が胴内排出ロール２３を通過すると、カバーロック部７０がオフとなる。つまり、ロックピン７１が位置Ｐｂから位置Ｐａに移動（図４の矢印Ｃ参照）し、ロックピン７１が被拘束部８５の開口８７の外に配置される。
一方で、図５の上段に示すように、胴内排出ロール２３は、用紙Ｓの搬送方向後端が胴内排出ロール２３を通過した後、予め定められた時間だけ回転を継続する（矢印Ｅ参照。以下、回転継続期間）。なお、本実施の形態においては、画像が形成された用紙Ｓの搬送方向後端がエグジットセンサ２２を通過してから経過した時間によって胴内排出ロール２３の回転を制御している。すなわち、用紙Ｓの搬送方向後端がエグジットセンサ２２を通過した後、用紙Ｓがエグジットセンサ２２から胴内排出ロール２３まで搬送される時間に回転継続時間を加えた時間、胴内排出ロール２３を回転させた後停止させる（矢印Ｆ参照）。
そして、カバー部材８０がユーザによって開放された（開放操作がなされた）後、画像が形成され胴内積載部６０に積載された用紙Ｓは、取り出し開口５３を通して取り出される。
【００３０】
ここで、用紙Ｓを胴内積載部６０に排出した胴内排出ロール２３が停止した後に、ユーザによってカバー部材８０が開放された場合には、回転している胴内排出ロール２３にユーザが触れることはない。
一方で、画像が形成された用紙Ｓをより短時間で取り出すことが望まれる場合がある。この場合、カバーロック部７０がカバー部材８０の固定を解除した後で、かつ胴内排出ロール２３が回転継続期間中にある状態で、短時間で用紙Ｓを取り出すことを望むユーザがカバー部材８０を開放することが考えられる。
そこで、本実施の形態においては次のような態様とすることにより、画像が形成された用紙Ｓをユーザが取り出す際に、ユーザが回転している胴内排出ロール２３に触れることを回避する。
【００３１】
すなわち、胴内排出ロール２３が回転継続期間（図５の矢印Ｅ参照）中である場合において、カバー部材８０がユーザによって開放されると、胴内排出ロール２３が停止する。
より具体的には、画像が形成された用紙Ｓが胴内積載部６０に排出された後であって、カバーロック部７０がオフとなり（ロックピン７１が位置Ｐａに配置されている）、かつ回転が継続している間にユーザがカバー部材８０を開放すると、この開放をカバーセンサ（図示せず）が検知する。このカバーセンサが、開放を検知したことの信号を制御部２０へ信号を送り、この信号を受けた制御部２０が、クラッチ２５を駆動させ図示しない動力源の動力を遮断する。そして、動力が伝達されなくなった胴内排出ロール２３は停止する。
【００３２】
ところで、本実施の形態では、胴内排出ロール２３が露出した状態で設けられていることから、次のような不具合が生じる恐れがある。まず、ユーザの指が特に回転している胴内排出ロール２３に接触することにより、指がロールに巻き込まれ、怪我をする恐れがある。また、指が触れることで胴内排出ロール２３が損傷することがある。ここで、このように損傷が生じると、例えば用紙Ｓにしわやキズを生じさせることがある。また、ユーザが回転している胴内排出ロール２３に接触することにより汚れた胴内排出ロール２３が用紙を汚すことがある。さらに、ユーザの指が回転している胴内排出ロール２３に接触したことに伴い装置が停止した場合、画像形成装置１００の生産性が低下すること等が考えられる。
【００３３】
次に、画像が形成された用紙Ｓが通過した後、胴内排出ロール２３を予め定められた時間だけ回す場合としては、例えば、胴内排出ロール２３に排出された用紙Ｓの姿勢を制御する場合や、消費電力を抑制する場合、あるいは胴内排出ロール２３の位相調整を行う場合等が挙げられる。
【００３４】
ここで、図６を用いて用紙Ｓの姿勢を制御することについて説明をする。図６は、胴内排出ロール２３と排出された用紙Ｓの位置関係を説明するための説明図であり、（Ａ）は胴内積載部６０へ積載が完了した用紙Ｓの状態を示し、（Ｂ）は胴内排出ロール２３に掛かり胴内積載部６０への積載が完了せずに静止している用紙Ｓの状態を示す。
【００３５】
通常は、画像が形成された用紙Ｓが胴内排出ロール２３によって胴内積載部６０に排出されると、用紙Ｓは胴内積載部６０に積載される（図６（Ａ）参照）。しかしながら、胴内排出ロール２３の回転時間が短い場合、用紙Ｓが胴内積載部６０に確実に積載されず、積載状態とは異なる姿勢となる場合がある。例えば、胴内排出ロール２３の回転時間が短い場合、用紙Ｓの搬送方向後端側が胴内排出ロール２３あるいは胴内排出ロール２３の周辺の部材に接触した状態（図６（Ｂ）のＳａ参照）で静止することがある。いわば、用紙Ｓが胴内排出ロール２３（あるいは胴内排出ロール２３周辺の部材）に引っかかった状態で、胴内積載部６０に完全に落ちきらずに出口付近に残る所謂土手残りという状態となる。
この土手残りの状態を回避するため、用紙Ｓが通過した後、胴内排出ロール２３を予め定められた時間だけ回転を継続させることが必要な場合がある。いわば、用紙Ｓの後端を胴内排出ロール２３によって押し出すことが必要な場合である。
【００３６】
＜他の態様＞
上述の実施形態においては、記録材処理装置の例として画像形成装置１００を用いて説明したが、これに限定されない。記録材処理装置としては、例えば後処理装置や用紙積載装置等であってもよい。後処理装置としては、ステープル針を用いて（あるいは用いることなく）記録材に対する綴じ処理を行う綴じ処理装置、パンチ穴をあけるパンチャ、折り筋を付ける折り筋装置等を有する構成がある。用紙積載装置としては、用紙を複数の積載部に仕分けられる機構を有する構成がある。
【００３７】
また、上述の実施形態においては、胴内排出ロール２３の駆動をクラッチ２５を用いて遮断する構成を用いて説明したがこれに限定されない。例えば、胴内排出ロール２３が駆動源であるモータに単独で接続され、胴内排出ロール２３を任意のタイミングで回転あるいは停止させる構成であってもよい。
【００３８】
さらに、上述の実施形態においては、カバー部材８０を画像形成装置１００の前面（操作面側）に設ける構成を用いて説明したが、これに限定されない。例えば、画像形成装置１００の側面に設けてもよい。図１を用いて例示すると、胴内積載部６０と画像読取装置３０との間に形成される空間の図１中の右側面に設けてもよい。図１中の右側の側面にカバー部材８０が設けられる場合、カバーロック部７０は例えば図１の紙面奥側の筺体５０の側面５０ｂ（図３参照）に設けてもよい。
さらに、画像形成装置１００の前面（操作面側）と画像形成装置１００の側面との両面にそれぞれカバー部材８０を設けるよう構成してもよい。
【符号の説明】
【００３９】
１Ｙ，１Ｍ，１Ｃ，１Ｋ…画像形成ユニット、１９…二次転写部、２１…定着装置、２３…胴内排出ロール、５０…筺体、６０…胴内積載部、７０…カバーロック部、７１…ロックピン、７３…戻しばね、７５…ソレノイド、８０…カバー部材、８５…被拘束部、８７…開口、１００…画像形成装置、Ｓ…用紙
【図１】
0005594065.tif 000002
【図２】
0005594065.tif 000003
【図３】
0005594065.tif 000004
【図４】
0005594065.tif 000005
【図５】
0005594065.tif 000006
【図６】
0005594065.tif 000007